(57)【特許請求の範囲】
【請求項１】
開口枠に取付けられる開口枠側半部及びドア端部に取付けられるドア側半部を備え、開口枠側半部に設けられた少なくとも１本の鉛直軸、及びその鉛直軸に外嵌されるところの、ドア側半部に設けられた少なくとも１本の鉛直軸筒を介して、ドア側半部が鉛直軸の周りに回動可能に連結され、それにより開口枠に対してドアが回動自在に保持されるよう構成された蝶番であって、
前記ドア側半部は、ドア端部に密着して固定されるドア側ベースプレートと、及び先端に鉛直軸筒が結合されたドア側可動プレートと、を備え、ドア側可動プレートは、ドア側ベースプレートに重ねられ鉛直軸筒をドア表側に位置させる右状態から、ドア端面の鉛直２等分線に対し右状態とは対称で、かつ鉛直軸筒をドア裏側に位置させる左状態に、又はその逆に移動自在に、ドア側ベースプレートに支持されると共に、右状態又は左状態でドア側ベースプレートに対して固定可能に構成されていることを特徴とする蝶番。
【請求項２】
前記開口枠側半部は、開口枠に密着して固定される開口枠側ベースプレートと、及び先端に鉛直軸が結合された開口枠側可動プレートと、を備え、開口枠側可動プレートは、開口枠側ベースプレートに重ねられ鉛直軸を開口枠表側に位置させる右状態から、開口枠端面の鉛直２等分線に対し右状態とは対称で、かつ鉛直軸を開口枠裏側に位置させる左状態に、又はその逆に移動自在に、開口枠側ベースプレートに支持されると共に、右状態又は左状態で開口枠側ベースプレートに対して固定可能に構成されていることを特徴とする請求項１に記載の蝶番。
【請求項３】
開口枠に取付けられる開口枠側半部及びドア端部に取付けられるドア側半部を備え、開口枠側半部に設けられた少なくとも１本の鉛直軸、及びその鉛直軸に外嵌されるところの、ドア側半部に設けられた少なくとも１本の鉛直軸筒を介して、ドア側半部が鉛直軸の周りに回動可能に連結され、それにより開口枠に対してドアが回動自在に保持されるよう構成された蝶番であって、
開口枠側半部は、開口枠に密着して固定される開口枠側ベースプレートと、及び先端に鉛直軸が結合された開口枠側可動プレートと、を備え、開口枠側可動プレートは、開口枠側ベースプレートに重ねられ鉛直軸を開口枠表側に位置させる右状態から、開口枠端面の鉛直２等分線に対し右状態とは対称で、かつ鉛直軸を開口枠裏側に位置させる左状態に、又はその逆に移動自在に、開口枠側ベースプレートに支持されると共に、右状態又は左状態で開口枠側ベースプレートに対して固定可能に構成されていることを特徴とする蝶番。
【請求項４】
前記ドア側ベースプレートの上下部分には、一対の水平なガイドが設けられると共に、前記ドア側可動プレートの後端部には上下方向に延び、一対の水平なガイドに案内される一対の軸が垂設されることにより、ドア側可動プレートは、前記軸を介して、ドア側ベースプレートに対して水平移動自在で、かつ軸周りに回動自在に構成され、前記右状態から左状態又はその逆に移動自在であることを特徴とする請求項１又は２に記載の蝶番。
【請求項５】
前記開口枠側ベースプレートの上下部分には、一対の水平なガイドが設けられると共に、前記開口枠側可動プレートの後端部には上下方向に延び、一対の水平なガイドに案内される一対の軸が垂設されることにより、開口枠側可動プレートは、前記軸を介して、開口枠側ベースプレートに対して水平移動自在で、かつ軸周りに回動自在に構成され、前記右状態から左状態又はその逆に移動自在であることを特徴とする請求項２又は３に記載の蝶番。
【請求項６】
前記ドア側可動プレートはドア側ベースプレートの中心に設けられた軸周りに回動自在に支持され、前記右状態から１８０度回動によって前記左状態に移動されることを特徴とする請求項１又は２に記載の蝶番。
【請求項７】
前記開口枠側可動プレートは開口枠側ベースプレートの中心に設けられた軸周りに回動自在に支持され、前記右状態から１８０度回動によって前記左状態に移動され、しかも前記鉛直軸が、その軸方向に移動し、いずれの端からも突出可能に構成されていることを特徴とする請求項２又は３に記載の蝶番。
【請求項８】
前記開口枠側半部に設けられた少なくとも１本の鉛直軸を前記ドア側半部に設け、かつ前記ドア側半部に設けられた少なくとも１本の鉛直軸筒を前記開口枠側半部に設けるようにしたことを特徴とする請求項１乃至７のいずれかに記載の蝶番。
【発明の詳細な説明】
【０００１】
【発明の属する技術分野】
本発明は、開口枠及びドアに取付けられ、ドアを回動自在に保持する蝶番であって、ドアが裏返して使用されるときにも付け替え不要であり、左右兼用ドアに便利な蝶番に関する。
【０００２】
【従来の技術】
従来、ドアに使用される蝶番として、開口枠に取付けられる開口枠側半部とドア側に取付けられるドア側半部が分離可能であって、上下抜き差し可能なものが多い。この蝶番には、ドアが開かれる側からみて、ヒンジが左側に位置する「左吊元用」と右側に位置する「右吊元用」の２種類があるが、表裏いずれかの側に偏って付けられているので、「左吊元用」、「右吊元用」の兼用が不可能であった。
【０００３】
そのため、一般には、ドア発注時に、「左吊元用」又は「右吊元用」の指定が必要であり、開口枠、ドアに、予めそれに対応する蝶番が取付けられ、出荷されている。従って、梱包時には、開口枠、ドアのいずれに対しても、「左吊元用」又は「右吊元用」の表示がされるが、それでも配送時に誤配されることがあった。また、製品の種類も、各型について、「左吊元用」、「右吊元用」の２種類が必要となるのであり、メーカーとしても、「左吊元用」、「右吊元用」の生産比率をどうするか、需要を予測しながら、操業を進めなければならなかった。
【０００４】
さらに、リフォーム等に伴って、一旦取付けられたドアの開き方向を変更する場合、上記従来の蝶番によっては、左右の変更は一切不可能である。
それに対して、出願人その他から左右兼用可能な蝶番が提案されている（実開平４−５２１７７、実開平４−４１０７５、実開昭５９−１７５５７３、実開昭５９−１４６４７７、実開昭５９−１２８８７６、実開昭５９−１０４７４、実開昭５８−１９５７６３、特開昭５７−６８４８２、特開昭５５−１６１７１、特開昭４８−５９２４３、実開平５−７５３７８、特開平１０−２４６０５５、実開平５−７５３７８）。
【０００５】
左右兼用可能な蝶番の一つとして旗蝶番と称されるものがある。これは、図９に示すように、開口枠に取付けられる、鉛直軸Ｘを持つ開口枠側半部９１、ドアに取付けられる、鉛直軸Ｘに外嵌される鉛直軸筒Ｐを持つドア側半部９２が、いずれも裏返されるか、同じ面内での反転させられることによって、左右兼用可能に構成されている。
【０００６】
また図１０に示すもの（特開昭４８−５９２４３，特開昭５９−１２８８７６等）は、いずれも鉛直軸筒Ｐを持つ、２片の半部９５が、１本の鉛直軸Ｘを、鍔ＦＦを隔てて上下に共用するよう構成されており、図１５に示すように、開口枠１０又はドア２０に対していずれも裏返し、同じ面内での反転によって、軸筒の位置を変更可能に構成されている。
これは、ドア側半部がドアの表裏を２等分する平面に対して対称に形成され、ドアの表裏いずれの側にも偏らず付けられているため、ドアを鉛直中心線を軸に裏返し、左右逆にされ、鉛直軸Ｘ、鉛直軸筒Ｐが常にドアが開かれる側に来るよう取付けられれば、「左吊元用」、「右吊元用」いずれにも転換可能である。
【０００７】
すなわち、それによれば、例えば、ドアに一旦取付けられたもので、ドアの開き方向の変更が必要になった場合、先ずドア側半部は、その固定用のネジが全部取り外され、ドアから離された後、反転等され、再びドアに取付けられる。以上のようにして、ドアの開きの方向の変更はできるが、それには、上述のように、全ての固定用のネジ全部の取り外し、再度取付け等、かなりの手数が掛かるという問題点がある。
【０００８】
その他、この蝶番の取付け方向の変更によって、再度の取付け時にネジの締め付けが不十分であったり、同一の取付け穴が使用されると、ネジの保持力が大幅に低下してしまい、最悪の場合、ドアが脱落する恐れもある。
【０００９】
結局、現場でこの蝶番の取付け方向の変更作業を行うには、作業負担が大き過ぎ、特に短時間で、多数のドアを取付ける集合住宅の施工では、負担増は一層顕著となり、事実上不可能である。従って、左右兼用と称していても、実際には、工場出荷時の段階で、予めドアに取付けられ、梱包にそれぞれの「右吊元用」「左吊元用」といった、取付け方向を表示する従来からの処理が現在も一般的である。
【００１０】
なお、ネジの保持力低下に関して、補足すると、蝶番がドア本体に取付けられるネジ（強度上の理由から、３０〜４０ｍｍ程度の木ネジを４〜６個を必要とする。）は、完全に捩じ込まれていないと、ドアの開閉によって緩みが生じ、長期間使用していると脱落の恐れがあり、施工現場でこの作業を行うには、手回しのドライバーでは不十分で、電導ドライバー等の動力工具が必要である。作業者の熟練の程度によって、捩じ込み不十分で、強度の低下も懸念される。
さらに、蝶番が一旦取外され、再度取付けられるため、ドアには取付け穴の跡が多数残り、美観を損なうと同時に、木ネジ保持力が低下する恐れもある。
【００１１】
その他に、水平方向抜き差し型と称して、ドアのドア側半部に、ドアの表裏方向から開口枠側半部の水平片を挿入可能な挿入口が設けられた、左右兼用のものも提案されている（特開平９−３１７３００）。
これは、施工現場でのドアの開きの方向の変更の場合、ドアへのドア側半部の一旦撤去と再取付けといった作業は不要であるが、水平片の固定ネジに緩みが生じた場合に、ドアが脱落する恐れがある。また、開口枠側半部の位置変更は出来ないため、開口枠の左右兼用は不可能である。従って、開口枠は左右用が夫々別個に必要である。
【００１２】
【発明が解決しようとする課題】
そこで本発明の目的とするところは、上記従来例の欠点を解消し、「左吊元用」「右吊元用」を別個に製造する必要がなく、従って取付けミス等が起こり難い両者兼用の蝶番を提供することにある。
【００１３】
【課題を解決するための手段】
上記の目的を達するために、請求項１に記載の発明は、開口枠（１０）に取付けられる開口枠側半部（ＦＨ）及びドア（２０）端部に取付けられるドア側半部（ＤＨ）を備え、開口枠側半部（ＦＨ）に設けられた少なくとも１本の鉛直軸（Ｘ）、及びその鉛直軸（Ｘ）に外嵌されるところの、ドア側半部（ＤＨ）に設けられた少なくとも１本の鉛直軸筒（Ｐ）を介して、ドア側半部（ＤＨ）が鉛直軸（Ｘ）の周りに回動可能に連結され、それにより開口枠（１０）に対してドア（２０）が回動自在に保持されるよう構成された蝶番であって、ドア側半部（ＤＨ）は、ドア（２０）端部に密着して固定されるドア側ベースプレート（Ｄ１）と、及び先端に鉛直軸筒（Ｐ）が結合されたドア側可動プレート（Ｄ２）と、を備え、ドア側可動プレート（Ｄ２）は、ドア側ベースプレート（Ｄ１）に重ねられ鉛直軸筒（Ｐ）をドア（２０）表側に位置させる右状態から、ドア（２０）端面の鉛直２等分線に対し右状態とは対称で、かつ鉛直軸筒（Ｐ）をドア（２０）裏側に位置させる左状態に、又はその逆に移動自在に、ドア側ベースプレート（Ｄ１）に支持されると共に、右状態又は左状態でドア側ベースプレート（Ｄ１）に対して固定可能に構成されている。
【００１４】
請求項２に記載の発明は、請求項１の発明の構成に加えて、開口枠側半部（ＦＨ）は、開口枠（１０）に密着して固定される開口枠側ベースプレート（Ｆ１）と、及び先端に鉛直軸（Ｘ）が結合された開口枠側可動プレート（Ｆ２）と、を備え、開口枠側可動プレート（Ｆ２）は、開口枠側ベースプレート（Ｆ１）に重ねられ鉛直軸（Ｘ）を開口枠（１０）表側に位置させる右状態から、開口枠（１０）端面の鉛直２等分線に対し右状態とは対称で、かつ鉛直軸（Ｘ）を開口枠（１０）裏側に位置させる左状態に、又はその逆に移動自在に、開口枠側ベースプレート（Ｆ１）に支持されると共に、右状態又は左状態で開口枠側ベースプレート（Ｆ１）に対して固定可能に構成されている。
【００１５】
さらに請求項３に記載の発明は、開口枠（１０）に取付けられる開口枠側半部（ＦＨ）及びドア（２０）端部に取付けられるドア側半部（ＤＨ）を備え、開口枠側半部（ＦＨ）に設けられた少なくとも１本の鉛直軸（Ｘ）、及びその鉛直軸（Ｘ）に外嵌されるところの、ドア側半部（ＤＨ）に設けられた少なくとも１本の鉛直軸筒（Ｐ）を介して、ドア側半部（ＤＨ）が鉛直軸（Ｘ）の周りに回動可能に連結され、それにより開口枠（１０）に対してドア（２０）が回動自在に保持されるよう構成された蝶番であって、開口枠側半部（ＦＨ）は、開口枠（１０）に密着して固定される開口枠側ベースプレート（Ｆ１）と、及び先端に鉛直軸（Ｘ）が結合された開口枠側可動プレート（Ｆ２）と、を備え、開口枠側可動プレート（Ｆ２）は、開口枠側ベースプレート（Ｆ１）に重ねられ鉛直軸（Ｘ）を開口枠（１０）表側に位置させる右状態から、開口枠（１０）端面の鉛直２等分線に対し右状態とは対称で、かつ鉛直軸（Ｘ）を開口枠（１０）裏側に位置させる左状態に、又はその逆に移動自在に、開口枠側ベースプレート（Ｆ１）に支持されると共に、右状態又は左状態で開口枠側ベースプレート（Ｆ１）に対して固定可能に構成されている。
【００１６】
また請求項４に記載の発明は、請求項１又は２の発明の構成に加えて、ドア側ベースプレート（Ｄ１）の上下部分には、一対の水平なガイド（Ｇ）が設けられると共に、ドア側可動プレート（Ｄ２）の後端部には上下方向に延び、一対の水平なガイド（Ｇ）に案内される一対の軸（Ｔ）が垂設されることにより、ドア側可動プレート（Ｄ２）は、軸（Ｔ）を介して、ドア側ベースプレート（Ｄ１）に対して水平移動自在で、かつ軸（Ｔ）周りに回動自在に構成され、前記右状態から左状態又はその逆に移動自在であることを特徴とする。
【００１７】
また請求項５に記載の発明は、請求項２又は３の発明の構成に加えて、開口枠側ベースプレート（Ｆ１）の上下部分には、一対の水平なガイド（Ｇ）が設けられると共に、開口枠側可動プレート（Ｆ２）の後端部には上下方向に延び、一対の水平なガイド（Ｇ）に案内される一対の軸（Ｔ）が垂設されることにより、開口枠側可動プレート（Ｆ２）は、軸（Ｔ）を介して、開口枠側ベースプレート（Ｆ１）に対して水平移動自在で、かつ軸（Ｔ）周りに回動自在に構成され、前記右状態から左状態又はその逆に移動自在であることを特徴とする。
【００１８】
また請求項６に記載の発明は、請求項１又は２の発明の構成に加えて、ドア側可動プレート（Ｄ２）はドア側ベースプレート（Ｄ１）の中心に設けられた軸（ＬＳ）周りに回動自在に支持され、前記右状態から１８０度回動によって前記左状態に移動されることを特徴とする。
【００１９】
また請求項７に記載の発明は、請求項２又は３の発明の構成に加えて、開口枠側可動プレート（Ｆ２）は開口枠側ベースプレート（Ｆ１）の中心に設けられた軸（ＬＳ）周りに回動自在に支持され、前記右状態から１８０度回動によって前記左状態に移動され、しかも鉛直軸（Ｘ）が、その軸方向に移動し、いずれの端からも突出可能に構成されていることを特徴とする。
【００２０】
なお、上記請求項１乃至７に記載の発明において、開口枠側半部（ＦＨ）に設けられた少なくとも１本の鉛直軸（Ｘ）をドア側半部（ＤＨ）に設け、かつドア側半部（ＤＨ）に設けられた少なくとも１本の鉛直軸筒（Ｐ）を開口枠側半部（ＦＨ）に設けるようにしてもよい。
【００２１】
なお、上記の課題を解決するための手段に記載された括弧内の記号は図面及び後述する発明の実施の形態に記載された記号に対応するものである。
【００２２】
請求項１に記載の発明によれば、ドア側ベースプレートに支持されたドア側可動プレートを、ドア側ベートプレートに対して固定しない状態で、発送、現場への搬入をすればよく、その後、左吊元用・右吊元用のいずれか現場の要求に応じて、ドア側可動プレートを左状態又は右状態に移動し、鉛直軸筒を、ドアの表裏のいずれかの側に移し固定するだけで容易に対応可能で、現場でのネジ取外し、裏返し、再度取付け等の作業が省略される。
【００２３】
それに対して、開口枠側半部の鉛直軸の位置は、工場で予め決定するようにすればよい。もし、それが現場の要求に合わない場合は、ネジを取外し、裏返し、再度取り付けることによって、少し手数は掛かるが、要求に合わすことが可能である。いずれにしても、現場で混乱を起こし、作業に支障を与えることはない。
【００２４】
また請求項２に記載の発明によれば、請求項１の発明の作用効果に加えて、開口枠側ベースプレートに支持された開口枠側可動プレートも、開口枠側ベースプレートに対して固定しない状態で、発送、現場への搬入をすればよく、左吊元用・右吊元用いずれにも現場で対応できる。すなわち、現場で開口枠側可動プレートを左状態又は右状態に移動し、鉛直軸を表裏のいずれかの側に移し固定するだけでよく、現場でのネジを取外し、裏返し、再度取付け等の作業が省略される。
【００２５】
さらに請求項３に記載の発明によれば、開口枠側ベースプレートに支持された開口枠側可動プレートを、開口枠側ベースプレートに対して固定しない状態で、発送、現場への搬入をすればよく、左吊元用・右吊元用いずれにも現場で対応できる。すなわち、現場で開口枠側可動プレートを左状態又は右状態に移動し、鉛直軸を表裏のいずれかの側に移し固定するだけでよく、現場でのネジを取外し、裏返し、再度取付け等の作業が省略される。
【００２６】
それに対して、ドア側半部の鉛直軸筒の位置は、工場で予め決定するようにすればよい。もし、それが現場の要求に合わない場合は、ネジを取外し、裏返し、再度取り付けることによって、少し手数は掛かるが、要求に合わすことが可能である。いずれにしても、現場で混乱を起こし、作業に支障を与えることはない。
【００２７】
また請求項４に記載の発明によれば、ドア側可動プレートの軸を、ドア側ベースプレートのガイドの左端に寄せ、その位置でドア側可動プレートを回動すれば鉛直軸筒を、請求項１又は２に記載の右状態に移動することができ、逆にドア側可動プレートの軸を、ドア側ベースプレートのガイドの右端に寄せ、その位置でドア側可動プレートを逆に回動すれば鉛直軸筒を、請求項１又は２に記載の左状態に移動することができる。
同様に請求項５に記載の発明によれば、開口枠側可動プレートの軸を、開口枠側ベースプレートのガイドの左端に寄せ、その位置で開口枠側可動プレートを回動すれば鉛直軸を、請求項２又は３に記載の右状態に移動することができ、逆に開口枠側可動プレートの軸を、開口枠側ベースプレートのガイドの右端に寄せ、その位置で開口枠側可動プレートを逆に回動すれば鉛直軸を、請求項２又は３に記載の左状態に移動することができる。
このように、ガイドに軸を案内して軸の移動と軸周りの回動により右状態および左状態への移動を達成するものであるので、その移動が速やかに行われる。
【００２８】
また請求項６に記載の発明によれば、ドア側可動プレートはドア側ベースプレートの中心に設けられた、例えばネジなどの軸周りに回動自在に支持されるので、１８０度回動するだけで、請求項１又は２に記載の右状態から左状態にあるいはその逆に移動することができる。
同様に請求項７に記載の発明によれば、開口枠側可動プレートは開口枠側ベースプレートの中心に設けられた、例えばネジなどの軸周りに回動自在に支持されるので、１８０度回動するだけで、請求項２又は３に記載の右状態から左状態にあるいはその逆に移動することができる。その際、開口枠側可動プレートの鉛直軸は、軸方向に移動し、いずれの端からも突出可能であるので、開口枠側可動プレートの回動により鉛直軸がたとえ下向きになっても、容易に上向きにすることが出来る。
このように、ドア側／開口枠側ベースプレートに設けられたネジなどの軸周りにドア側／開口枠側可動プレートを回動させるだけで右状態および左状態への移動が可能であるので、移動させるために必要な部材は少なくコストも低廉なものを使用することができる。
【００２９】
【発明の実施の形態】
本発明の実施の形態例について図面を参照して説明すると、図１は本発明の実施の形態例を示す斜視図、図２は図１の取付け前の状態を示す斜視図、図３は本発明の種々の適用状態を示す模式的平面図、図４はドアの正面図である。
【００３０】
図４により、開口枠１０について先ず説明すると、ドア２０を回動可能に保持する上下一対の蝶番Ｈ，Ｈが付けられた蝶番側縦枠材１１と，ハンドルＬの回動によってドア２０から進退するラッチＲ１を受け入れ可能なラッチ受け具Ｒ２が付けられた、蝶番側縦枠材１１と同長のラッチ受け具側縦枠材１２と，両者の上端部間に挿入、結合された上枠材１３と，より構成される。
【００３１】
図１及び図２に示すように、蝶番Ｈは、開口枠１０に取付けられる長方形板状の開口枠側半部ＦＨ及びドア２０に取付けられる長方形板状のドア側半部ＤＨよりなる。また、開口枠側半部ＦＨには、少なくとも１本（本実施形態例では１本）の鉛直軸Ｘが設けられている。ドア側半部ＤＨには、鉛直軸Ｘに外嵌される、少なくとも１本（本実施形態例では１本）の鉛直軸筒Ｐが設けられている。この鉛直軸筒Ｐを介してドア側半部ＤＨは、開口枠側半部ＦＨに下から支えられると共に、鉛直軸Ｘの周りに回動可能に連結され、それによって、開口枠１０に対してドア２０が回動自在に保持されるよう構成されている。
【００３２】
さらに詳細に説明すると、開口枠側半部ＦＨは、開口枠側ベースプレートＦ１及び開口枠側回動プレートＦ２よりなる。
前者の開口枠側ベースプレートＦ１は、開口枠１０の端面に密着して、複数のネジによって取付けられる。その幅は、開口枠１０の幅に等しい。さらに、上下部分には後述する開口枠側回動プレートＦ２を支持し、その移動を案内する構造と機能を持つ水平直線状の一対のガイドＧが設けられている。
【００３３】
後者の開口枠側回動プレートＦ２の先端には鉛直軸Ｘが突設され、基端側となる後端部には上下方向に延び、一対の水平なガイドＧの長孔に挿通されるようにして案内される一対の短軸Ｔが垂設されている。また、開口枠側回動プレートＦ２は開口枠側ベースプレートＦ１に重ねた状態で固定されるように、開口枠側ベースプレートＦ１の中央部にはネジ孔Ａ１が穿けられると共に、開口枠側可動プレートＦ２には開口枠側ベースプレートＦ１に密着した状態で孔Ａ１に一致するよう孔Ａ２が穿けられ、孔Ａ１，Ａ２に固定ネジＦＳが挿通され、螺着されるようになっている。
【００３４】
これにより、開口枠側回動プレートＦ２は、開口枠側ベースプレートＦ１に固定されない状態、すなわち鉛直に支持だけされている状態では、短軸Ｔを介して、開口枠側ベースプレートＦ１に沿って開口枠１０の表裏の一方の側から他方の側に水平に案内されると共に、短軸Ｔの周りに回動可能である。
短軸Ｔを開口枠側ベースプレートＦ１のガイドＧの左端に寄せ、その位置で開口枠側可動プレートＦ２を回動すれば鉛直軸Ｘを開口枠１０表側に位置させる右状態にすることができ、この位置で固定ネジＦＳを介して開口枠側可動プレートＦ２を開口枠側ベースプレートＦ１に固定すれば図１の状態となる。逆に短軸ＴをガイドＧの右端に寄せ、その位置で開口枠側可動プレートＦ２を逆に回動すれば鉛直軸Ｘを開口枠１０裏側に位置させる左状態にすることができ、この位置で固定すれば左状態は開口枠１０端面の鉛直２等分線に対して右状態とは対称の位置になる。
【００３５】
ドア側半部ＤＨは、上記開口枠半部ＦＨ同様に、ドア側ベースプレートＤ１及びドア側可動プレートＤ２よりなる。
前者のドア側ベースプレートＤ１は、ドア２０の端面に密着して、複数のネジによって取付けられ、その幅は、ドア２０の幅に等しい。さらに、上下部分には後述するドア側回動プレートＤ２を支持し、その移動を案内する構造と機能を持つ水平直線状の一対のガイドＧが設けられている。
【００３６】
後者のドア側回動プレートＤ２の先端には鉛直軸筒Ｐが突設され、基端側となる後端部には上下方向に延び、一対の水平なガイドＧの長孔に挿通されるようにして案内される一対の短軸Ｔが垂設されている。また、ドア側回動プレートＤ２はドア側ベースプレートＤ１に重ねた状態で固定されるように、ドア側ベースプレートＤ１の中央部にはネジ孔Ａ１が穿けられると共に、ドア側可動プレートＤ２にはドア側ベースプレートＤ１に密着した状態で孔Ａ１に一致するよう孔Ａ２が穿けられ、孔Ａ１，Ａ２に固定ネジＦＳが挿通され、螺着されるようになっている。
【００３７】
これにより、ドア側回動プレートＤ２は、ドア側ベースプレートＤ１に固定されない状態、すなわち鉛直に支持だけされている状態では、短軸Ｔを介して、ドア側ベースプレートＤ１に沿ってドア２０の表裏の一方の側から他方の側に水平に案内されると共に、短軸Ｔの周りに回動可能である。
短軸Ｔをドア側ベースプレートＤ１のガイドＧの右端に寄せ、その位置でドア側可動プレートＤ２を回動すれば鉛直軸筒Ｐをドア１０裏側に位置させる左状態にすることができ、この位置で固定ネジＦＳを介してドア側可動プレートＤ２をドア側ベースプレートＤ１に固定すれば図１の状態となる。逆に短軸ＴをガイドＧの右端に寄せ、その位置でドア側可動プレートＤ２を逆に回動すれば鉛直軸筒Ｐをドア１０表側に位置される右状態にすることができ、この位置で固定すれば右状態はドア２０端面の鉛直２等分線に対して左状態とは対称の位置になる。
【００３８】
以上のように構成された蝶番によれば、鉛直軸Ｘ／鉛直軸筒Ｐを開口枠１０／ドア２０の表裏いずれの側にも固定しないままで、発送し、現場へ搬入することができる。その後、現場の要求が左吊元用・右吊元用いずれであっても、その要求に応じて、開口枠側／ドア側回動プレートＦ２，Ｄ２の短軸Ｔを、図３に示すように、ガイドＧのいずれか一方の端に寄せ、その位置で開口枠側可動プレートＦ２／ドア側可動プレートＤ２を回動し、開口枠側ベースプレートＦ１／ドア側ベースプレートＤ１に密着させれば、鉛直軸Ｘ／鉛直軸筒Ｐは、短軸Ｔの反対側に配置させられる。最後に、固定ネジＦＳにより固定すれば、鉛直軸Ｘ／鉛直軸筒Ｐはドア２０の表裏の所望の側に移動させられる。
【００３９】
一旦取付けられたドアが、リフォーム等に伴って、ドア２０の開き方向の変更が必要になる場合でも、それぞれ固定ネジＦＳを取外すだけで、開口枠側／ドア側回動プレートＦ２，Ｄ２が移動可能になり、それらを鉛直軸Ｘ／鉛直軸筒Ｐと共にドア２０の反対側へ移動し、１本の固定ネジＦＳによって固定すれば、ドアの開き方向を容易に変更可能である。従って、蝶番のみならず、開口枠、ドアの交換が一切不要となる。
【００４０】
さらに、吊元の変更が必要な場合、開口枠１０の取外し、再取付けが可能であれば、開口枠１０、ドア２０を裏返し、左右反転することによって、この要求に対応可能であるが、それが不可能である場合、新しい開口枠１０を準備すれば、ドア２０はそのまま使用可能である。従来例に比較して経費を大幅に低減することが可能である。
【００４１】
そのため、
（ア）製造の手間が半減する。
「左吊元用」「右吊元用」を別個に製造する必要がなくなり、受発注・保管・販売等の手間が著しく簡略化される。ドアは従来の左右兼用型であれば、そのまま適用可能である。
（イ）取付けミスが生じない。
たとえ間違ってセットされたものが、施工現場に送られることがあっても、容易に転換可能である。
【００４２】
（ウ）識別シールの添付が不要である。
施工終了後、その識別シールを撤去する手間が省けるし、識別シールを添付したことによる種々のトラブル（撤去せず、長期間貼ったままにしておくと、粘着剤がドア枠に固着して、剥がし難くなったり、粘着剤が残留して化粧部分を汚染したりする）が全て解消される。現場でのネジを取外し、裏返し、再度取付け等の作業が省略される。
（エ）リフォームへも低コストで対応可能である。
ドア２０の開き方向の変更が必要になる場合、蝶番のみならず、開口枠、ドアの交換が一切不要あり、吊元の変更が必要な場合でも、開口枠１０の取外し、再取付けが不可能であっても、新しい開口枠１０を準備すれば、ドア２０はそのまま使用可能である。経費を大幅に低減することが可能である。
【００４３】
以上は、開口枠側／ドア側半部ＦＨ，ＤＨ共に、開口枠側／ドア側回動プレートＦ２，Ｄ２が回動可能であるものであるが、図５に示すように、開口枠側／ドア側半部のうちのいずれか一方を、従来の対応する半部と同じに構成することもできる。ここでは、開口枠側半部ＦＨを従来の対応する半部と同じ構成にしたものを例にして説明する。
すなわち、例えば、ドア側半部ＤＨが上述のものと同構成であり、その作用は上述の通りであるが、開口枠側半部ＦＨにかわる開口枠側半部６０が、図５に示すように、従来のそれと同じく鉛直軸Ｘが開口枠側半部６０に固定され回動不能の場合、開口枠側半部６０の鉛直軸Ｘの位置は、工場で予め決定されており、もし、それが現場の要求に合わない場合、ネジを取り外し、裏返し、再度取付けることによって、少し手数は掛かるが、要求に合わすことが可能である。
【００４４】
また、リフォーム等に伴って、ドア２０の開き方向の変更が必要になる場合、ドア側半部ＤＨは、上述の通りであるが、開口枠側半部６０は、ネジを取り外し、裏返し、再度取付けることによって、少し手数は掛かるが、対応可能である。
【００４５】
さらに、吊元の変更が必要な場合、開口枠１０が利用可能である場合は、ドア側半部ＤＨは、上述の通りであり、開口枠１０は、左右反転させ、必要に応じて、開口枠側半部６０のネジを取外し、裏返し、再度取付けによって、若干手数は掛かるが、対応可能である。それが不可能な場合は、新しい開口枠１０を準備すれば、ドア２０はそのまま使用可能であり、それでも従来例に比較して、経費を大幅に低減することが可能である。
【００４６】
次に、異なる構成のものについて図６乃至図８により説明する。開口枠側半部ＦＨの先端には、少なくとも１本の鉛直軸Ｘが取付けられていることや、ドア側半部ＤＨの先端には、鉛直軸Ｘに外嵌される、少なくとも１本の鉛直軸筒Ｐが設けられていることは上述のものと略同様であるが、以下の点が異なる。
【００４７】
すなわち、ドア側可動プレートＤ２はドア側ベースプレートＤ１の中心に設けられたロックネジＬＳの軸周りに回動自在に支持されている。また、開口枠側可動プレートＦ２も開口枠側ベースプレートＦ１の中心に設けられたロックネジＬＳの軸周りに回動自在に支持されている。開口枠側／ドア側可動プレートＦ２，Ｄ２を固定する機構は、開口枠側／ドア側ベースプレートＦ１，Ｄ１の中心に穿けられたネジ孔（図示省略）、そのネジ孔に対応して、開口枠側／ドア側可動プレートＦ２，Ｄ２の中心に穿けられた孔Ａ２、及びその孔Ａ２に挿通され、ネジ孔Ａ１にロックされるロックネジＬＳからなり、ロックネジＬＳを弛めた状態で、その軸周りに、開口枠側／ドア側可動プレートＦ２，Ｄ２は左右に回動可能になる。また鉛直軸Ｘは、その軸方向に移動し、いずれの端からも突出可能に構成されている。
【００４８】
なお、開口枠側／ドア側ベースプレートＦ１，Ｄ１は、それぞれ開口枠側／ドア側可動プレートＦ２，Ｄ２が嵌込まれると、回動・上下方向のぐらつきを防止するために、断面コの字状に、上下の端縁に鍔が突設されている（図示省略）。
また、図７に示すように、鍔の代わりに一方の側（図では開口枠側／ドア側可動プレートＦ２，Ｄ２）に爪Ｔが突設され、他方の側（図では開口枠側／ドア側ベースプレートＦ１，Ｄ１）にその爪Ｔが嵌め込まれる溝Ｍが設けられたものでもよい。
【００４９】
このように構成されたものは、図８に示すように、１８０度回動することによって、それぞれ鉛直軸Ｘ、鉛直軸筒Ｐをドア２０の表裏のいずれか所望の側に移動させることができる。そして姿勢を鉛直に保持した状態で、ロックネジＬＳで回動し、締めればよい。その際、開口枠側可動プレートＦ２の鉛直軸Ｘが下向きに突出するようになっても、筒部Ｃに嵌装されているため、鉛直軸Ｘを軸方向に移動させ、上向きにすることが出来、容易に左右変更可能である。なお、開口枠側／ドア側半部のうちの両方だけでなくいずれか一方が、従来に対応する固定された半部と同じ構成のものも本発明に含まれる。
【００５０】
なお本実施形態例において、開口枠側半部ＦＨに設けられた１本の鉛直軸Ｘをドア側半部ＤＨに設け、かつドア側半部ＤＨに設けられた１本の鉛直軸筒Ｐを開口枠側半部ＦＨに設けるようにしてもよい。
【００５１】
【発明の効果】
以上のとおり請求項１に記載の発明によれば、ドア側可動プレートに設けられた鉛直軸筒は、ドア側ベースプレートに対して回動自在に取付けられ、しかもいずれかの側で固定も可能であるので、ドア側回動プレートに設けられた鉛直軸筒をドア側ベースプレートのドア表裏いずれの半面側にも固定しないままで、発送、現場への搬入をすればよく、その後、左吊元用・右吊元用のいずれか現場の要求に応じて、ドア側回動プレートを回動させ、鉛直軸筒を、ドアの表裏のいずれかの側に移し、固定するだけで容易に対応可能で、現場でのネジ取り外し、裏返し、再度取付け等の作業が省略される。
【００５２】
これにより、「左吊元用」「右吊元用」を別個に製造する必要がなくなるので製造の手間が半減し、左右間違えて取付けることはないので施工も容易となる。さらに識別シールの添付も不要となり、またリフォームも低コストで対応可能である。
【００５３】
また請求項２に記載の発明によれば、請求項１の発明の作用効果に加えて、開口枠側ベースプレートに支持された開口枠側可動プレートも、開口枠側ベースプレートに対して固定しない状態で、発送、現場への搬入をすればよく、左吊元用・右吊元用いずれにも現場で対応できるので、現場でのネジを取外し、裏返し、再度取付け等の作業が省略される。
【００５４】
さらに請求項３に記載の発明によれば、開口枠側ベースプレートに支持された開口枠側可動プレートを、開口枠側ベースプレートに対して固定しない状態で、発送、現場への搬入をすればよく、左吊元用・右吊元用いずれにも現場で対応できる。すなわち、現場で開口枠側可動プレートを左状態又は右状態に移動し、鉛直軸を表裏のいずれかの側に移し固定するだけでよく、現場でのネジを取外し、裏返し、再度取付け等の作業が省略される。
【００５５】
また請求項４および請求項５に記載の発明によれば、ガイドに軸を案内して軸の移動と軸周りの回動により右状態および左状態への移動を達成するものであるので、その移動が速やかに行われる。
【００５６】
また請求項６および請求項７に記載の発明によれば、ドア側／開口枠側ベースプレートに設けられたネジなどの軸周りにドア側／開口枠側可動プレートを回動させるだけで右状態および左状態への移動が可能であるので、移動させるために必要な部材は少なくコストも低廉なものを使用することができる。
【図面の簡単な説明】
【図１】本発明の第１の実施の形態例を示す斜視図である。
【図２】図１のドア側半部を示す拡大斜視図である。
【図３】鉛直軸筒の位置変更の推移を示す模式的平面図である。
【図４】ドアの正面図である。
【図５】本発明の第２の実施の形態例を示す斜視図である。
【図６】本発明の第３の実施の形態例を示す斜視図である。
【図７】図６の固定機構の要部を示す断面図である。
【図８】鉛直軸の位置変更の推移を示す模式的平面図である。
【図９】従来例を示す斜視図である。
【図１０】第２の従来例を示す斜視図である。
【図１１】図１０の取り付け位置の変更経緯を示す斜視図である。
【符号の説明】
１０      開口枠
１１      蝶番側縦枠材
１２      ラッチ受け具側縦枠材
１３      上枠材
２０      ドア
６０      開口枠側半部
９１      開口枠側半部
９２      ドア側半部
９５      半部
Ａ１      孔
Ａ２      ネジ孔
Ｃ        筒部
ＤＨ      ドア側半部
Ｄ１      ドア側ベースプレート
Ｄ２      ドア側回動プレート
ＦＨ      開口枠側半部
Ｆ１      開口枠側ベースプレート
Ｆ２      開口枠側回動プレート
ＦＳ      固定ネジ
Ｈ        蝶番
Ｌ        ハンドル
ＬＳ      ロックネジ
Ｍ        溝
Ｐ        鉛直軸筒
Ｒ１      ラッチ
Ｒ２      ラッチ受け具
Ｔ        爪
Ｘ        鉛直軸
【図１】
0004137303.tif 000002
【図２】
0004137303.tif 000003
【図３】
0004137303.tif 000004
【図４】
0004137303.tif 000005
【図５】
0004137303.tif 000006
【図６】
0004137303.tif 000007
【図７】
0004137303.tif 000008
【図８】
0004137303.tif 000009
【図９】
0004137303.tif 000010
【図１０】
0004137303.tif 000011
【図１１】
0004137303.tif 000012